(57)【特許請求の範囲】
【請求項１】
端部（１０ａ）から延在する筆記本体（１０）であって、前記端部が該筆記本体に一体のペン先（１１）を有する、筆記本体と、
キャップが前記筆記本体（１０）に結合した位置において前記ペン先（１１）を覆う取り外し可能キャップ（Ｃ）と、
を備える筆記用具であって、
前記キャップ（Ｃ）は底部（３５）と管状壁（３２）とを有し、
該管状壁（３２）は、前記底部（３５）に結合した第１端部（２０ａ）と、軸開口部（２４）を形成する第２端部（２０ｂ）との間で中央軸（Ｚ）に沿って延在し、
前記管状壁（３２）は内表面を有し、該内表面上の突起（３１）は、前記結合した位置において前記筆記本体（１０）と係合することにより前記キャップ（Ｃ）を保持することが可能であり、
前記キャップ（Ｃ）の前記内表面は少なくとも１つの溝（３３）を有し、該少なくとも１つの溝（３３）は、２つの前記突起（３１）の間に配置され、かつ前記管状壁（３２）の前記第２端部（２０ｂ）へ延在することを特徴とする筆記用具。
【請求項２】
前記少なくとも１つの溝（３３）と前記キャップの前記第１端部（２０ａ）との間に配置された、前記キャップ（Ｃ）に一体の封止部材を備える請求項１に記載の筆記用具。
【請求項３】
前記封止部材が前記キャップ（Ｃ）の前記内表面上に形成された環状リブ（３４）を前記第１および第２端部（２０ａ，２０ｂ）から離れて備え、
前記少なくとも１つの溝（３３）は前記キャップの中央部（Ｍ）へ延在し、かつ前記環状のリブ（３４）に近接している請求項２に記載の筆記用具。
【請求項４】
前記少なくとも１つの溝（３３）の前記封止部材に対する距離が０．１ｍｍ〜０．５ｍｍの間に構成される請求項２または３に記載の筆記用具。
【請求項５】
前記筆記本体（１０）が空のインクカートリッジ（１５）を備え、
前記カートリッジ（１５）が、貯槽と、前記ペン先（１１）および前記貯槽の間に配置された内部空洞とを含み、
前記空洞は前記貯槽に連通し、かつ前記筆記本体（１０）の外側の開いた開口部を通じて外部に直接開き、前記空洞はインクの漏れを吸収するのに適している請求項１〜４のいずれか一項に記載の筆記用具。
【請求項６】
少なくとも２つの溝（３３）が前記管状壁（３２）の前記内表面に設けられ、前記突起（３１）および前記溝（３３）が交互に並んでいる、請求項１〜４のいずれか一項に記載の筆記用具。
【請求項７】
各前記溝（３３）が２つの前記突起（３１）に隣接し、かつ２つの前記突起（３１）を分離する請求項６に記載の筆記用具。
【請求項８】
前記突起（３１）が少なくとも３つあり、かつ円形状に分布し、
前記溝（３３）の数が前記突起の数に等しく、
各前記溝（３３）が前記中央軸（Ｚ）に略平行方向に延在し、かつ一連の前記溝が前記軸の開口部（２４）にて正多角形の頂点を形成する、請求項１〜７のいずれか一項に記載の筆記用具。
【請求項９】
前記突起（３１）が前記第２端部（２０ｂ）近くに配置され、かつ前記ペン先（１１）から離れた前記筆記本体（１０）の一部に係合する請求項１〜８に記載の筆記用具。
【請求項１０】
前記筆記本体（１０）が前記ペン先（１１）に隣接するシリンダ状の把持面を有し、
前記把持面は前記突起（３１）に協働するための突出した環状突起（Ｂ）を有し、
前記把持面が前記キャップ（Ｃ）によって完全に覆われることができるように、前記突出した突起（Ｂ）は前記ペン先（１１）の反対側に配置される、請求項１〜９のいずれか一項に記載の筆記用具。
【請求項１１】
前記キャップ（Ｃ）の前記管状壁（３２）の前記外表面が少なくとも前記第２端部（２０ｂ）へ向かって滑らかであり、前記キャップが円断面を有する請求項１〜１０のいずれか一項に記載の筆記用具。
【請求項１２】
前記キャップ（Ｃ）が、各前記溝（３３）の位置において、前記キャップの一般的な厚み（ｅ１）の４０％〜７０％の間に構成された厚み（ｅ２）を有する請求項１〜１１のいずれか一項に記載の筆記用具。
【請求項１３】
前記筆記本体（１０）が、前記結合位置において前記キャップ（Ｃ）の前記第２端部（２０ｂ）に接触する軸面を有する環状肩部（４０）を有する請求項１〜１２のいずれか一項に記載の筆記用具。
【請求項１４】
前記筆記本体（１０）がカートリッジ（１５）と、前記ペン先（１１）と反対側の前記カートリッジ（１５）を部分的に覆う胴部（１６）とを備え、前記カートリッジ（１５）は前記胴部を固定することができる雄ねじ（１７）有し、前記肩部（４０）は前記胴部（１６）の一方の端部により形成されている請求項１３に記載の筆記用具。
【請求項１５】
前記突起（３１）が分布した前記キャップ（Ｃ）の環状部において、前記突起（３１）および前記溝（３３）が前記キャップ（Ｃ）の内周の少なくとも７５％を占めることを特徴とする請求項１〜１４のいずれか一項に記載の筆記用具。
【発明の詳細な説明】
【技術分野】
【０００１】
本発明は、インクペンなどの筆記用具に関し、特に筆記本体と一体のペン先を有する端部から延在する筆記本体と、筆記本体にキャップが結合された状態においてペン先を覆う取り外し可能なキャップとを備える筆記用具に関し、前記キャップは底部と、底部に接合する第１端部および軸開口部を形成する第２端部の間に中心軸に沿って延在する管状壁とを有し、前記管状壁は内表面を有し、その内表面の上の突起は、結合された状態の筆記本体に係合することによりキャップを保持することができる。
【背景技術】
【０００２】
ボールペンのような上述したタイプの筆記用具は、水性インクまたは、任意の標準的なインクを格納することができる。用具を使用しない間キャップによって先端を覆うことにより、先端の過度の乾燥を回避することができる。外部に対する封止は、ペン先に隣接した筆記本体の端部にキャップの管状壁が環状に接触することにより達成される。場合によっては、キャップはペン先のみを覆う内部キャップを備える。
【０００３】
しかし、筆記用具の本体がキャップに結合している場合、キャップ内部の空気は圧縮され、それにより使用者によってはキャップ内部に圧力上昇が生じることを気づくことがある。キャップが外される場合、キャップ内部の空気の圧力は突然減少し、インクの放出およびくみ上げを生じる。通常使用の際にキャップが交互に筆記用具の本体に結合され、および取り外されるにつれ、例えば排気空洞の邪魔板に詰まって残ることによる、著しい量のインクの放出および無駄のリスクがある。本発明者は、空のインク貯槽、または繊維緩衝内に格納された液体インクの場合にも、液体のインクが使用される場合はいつもこの現象が顕著になることを発見した。
【０００４】
キャップ内部の圧力を均一にする解決法は、開口部の反対に穴を作ることである。したがって特許文献１はペン本体に装着されている場合のキャップ内部の加圧を回避するために空気通路を提供する。この通路はキャップの底部に形成され、かつバネと組み合わさった密封バルブにより閉じられている。このタイプの装置において、結合するより前に空気は穴を通じて出ることができ、かつキャップがペン本体に固定保持される場合にバネが空気通路を閉鎖することができる。キャップのいくつかの局部的な内側の突起は、ペン本体の外周に形成された環状突起に係合することにより閉鎖したままの位置を維持する。
【０００５】
このタイプの筆記用具の欠点は、バネを含むいくつかの部品が必要な密封システムの複雑さである。したがってキャップアセンブリはこのようなシステムを含むペンの魅力を制限し、より高価になる。
【先行技術文献】
【特許文献】
【０００６】
【特許文献１】米国特許第５，４４１，３５６号
【発明の概要】
【発明が解決しようとする課題】
【０００７】
本発明のねらいは、キャップの結合および取り外し中のインクの損失を回避でき、かつ単純な設計の筆記用具を提案することである。
【課題を解決するための手段】
【０００８】
この目的のために、本発明による筆記用具は、２つの前記突起の間に配置され、かつ管状壁の第２端部へ延在する少なくとも１つの溝をキャップの内表面に有することを特徴とする。
【０００９】
したがって閉じる操作の間、キャップの底部に蓄積した空気がキャップ開口部へ流れることは、第２端部へ延在する溝によって達成される。溝は、キャップおよび筆記本体の間に介在する空気通路として使用される。したがって溝が均圧機能として働き、キャップを装着する際のキャップの加圧、または取り外す際の負圧を防ぐことが可能となる。さらにこの配置は、キャップの保持を妨げず、かつキャップの底部は単純設計とすることができる。
【００１０】
さらなる特徴によると、筆記用具は、前記少なくとも１つの溝とキャップの第１端部との間に配置され、キャップに一体化した封止部材を備える。封止部材は、例えば前記第１および第２端部から離れ、キャップの内表面に形成された環状のリブを備え、前記少なくとも１つの溝はキャップの中央部へ延在し、かつ環状リブに近接する。したがってペン先の乾燥を防ぐために、環状封止接触は結合位置におけるリブにて達成されることが可能である。封止接触を意図した環状リブに溝が近いことにより、筆記用具の端部がキャップに入る場合にキャップの底部に蓄積した余分な空気がすべて溝を介して排出することが可能となる。
【００１１】
さらなる特徴によると、筆記本体は、空のインクカートリッジを備え、カートリッジは貯槽と、ペン先および貯槽の間に配置された内部空洞とを備え、空洞は貯槽に連通し、かつ筆記本体の外部の開口部を通じて外部に直接連通し、前記空洞はインクの漏れの吸収に適している。したがって圧力変化に敏感なインクシステムを使用する際に漏れを避けることができ、かつ１つまたは複数の溝を有するキャップの存在はキャップを取り外す段階においてインクの任意の移動をさらに制限する。さらなる特徴によると、少なくとも２つの溝が前記管状壁の内表面に設けられ、前記突起および溝は交互に並ぶ。突起の数は少なくとも３つで、かつ円形に分布することが好ましく、溝の数は前記突起の数と等しい場合もある。それぞれの溝は中央軸に略平行に延在し、かつ一連の溝は軸開口部において正多角形の頂点を形成する。この分散した配置によって、キャップおよび筆記用具本体の間の任意の相対的な傾きに関わらずキャップを装着する間に空気は容易に逃げることが可能になる。
【００１２】
さらなる特徴によると、それぞれの溝は２つの前記突起に隣接し、かつ２つの前記突起を分離する。したがってキャップ外周のへこみおよび山の配置により、キャップを装着する間、均圧効果を最適化しながら非常に効率的に保持することができる。突起が分布されたキャップの環状部分において、突起および溝は、キャップの内周の半分以上、例えば少なくともこの内周の７５％を占めることができる。
【００１３】
さらなる特徴によると、封止部材に対する溝の距離は、０．１ｍｍ〜０．５ｍｍの間で構成される。したがって溝の端部は、キャップの封止部分に最も近い。（溝の長さがキャップの深さの４０％またはそれ以上に相当する）溝の配置の効果により、溝を介して吸い出されることができる空気の量がより多くなり、かつ筆記本体の把持部がキャップによって密接に囲まれている場合においても、キャップの底部の圧縮された空気は、筆記本体がキャップに挿入される間ずっと逃げることができるしかし、封止部材の非均一な変形を引き起こさないように、近接しすぎることは避けるべきである。
【００１４】
さらなる特徴によると、筆記本体はペン先に隣接する円柱の把持面を有し、前記突起と協働するために、この把持面は突出した環状突起を有し、前記把持面がキャップよって完全に覆われるように、突出した突起はペン先と反対側に配置される。突起は、前記第２端部近くに配置される。
【００１５】
したがってキャップの開口部に好ましく近い突起による保持は、材料と材料、例えばプラスチックとプラスチックとの接触による固定に相当し、キャップ内に初期に収容された空気のほとんどが吸い出される場合にキャップの装着の完了となる。溝は細長く、かつ筆記中に使用される筆記本体の把持部を覆うように通常２ｃｍ以上、好ましくは４ｃｍ以上の長さでキャップに作られる。
【００１６】
さらなる特徴によると、キャップの管状壁の外表面は少なくとも前記第２端部に向かって滑らかとなっており、キャップは円断面を有する。したがってキャップは容易に把持することができ、かつうねのない表面を有することができ、感触がより快適になる。したがって滑らかな外表面および溝付き内表面の形は相違点がある。キャップの厚みは薄く、かつ例えば最大１ｍｍおよび最少０．６ｍｍの間で変化させることができる。したがってそれぞれの溝において、キャップは、キャップの一般的な厚さの４０％および７０％の間で構成された厚みを有する。
【００１７】
さらなる特徴によると、筆記本体は、結合位置においてキャップの第２端部に接触する軸面を有する環状の肩部を有する。したがってキャップが閉じた状態において、筆記用具は通常の外観を有し、キャップがのる肩部によりキャップ内部に形成された溝を少なくとも部分的に閉じることができる。
【００１８】
さらなる特徴によると、筆記本体はカートリッジと、前記ペン先と反対側のカートリッジを部分的にカバーする胴部とを備え、カートリッジは胴部を固定することができる雄ねじを有し、前記肩部は前記胴部の一方の端部により形成される。したがって、通常外部突起がなくかつ使用者の握り心地のよい胴部は、キャップの延長部に好都合に配置され、各溝の出口をふさぐことが可能である。
【００１９】
本発明の他の特徴および利点は、添付の図面を参照して非限定的な例によって与えられるいくつかの実施形態についての以下の説明により明らかになるだろう。
【図面の簡単な説明】
【００２０】
【図１】本発明の好ましい実施形態によるキャップ本体第１の縦断面に沿った図である。
【図２】第２の縦断面に沿った図１のキャップ本体の図である。
【図３Ａ】図２に示したキャップ本体の管状壁の第１の詳細を示す。
【図３Ｂ】図２に示したキャップ本体の管状壁の第２の詳細を示す。
【図４】本発明によるキャップと協働することができるペン本体を構成するカートリッジおよび結合した胴部を示す分解組立図である。
【図５】本発明によるキャップを構成する部材を示す分解組立図である。
【図６】図１および図２のキャップ開口部の軸方向の図である。
【図７】キャップがペン本体に結合した位置を示す。
【図８】キャップがペン本体に結合した位置を示す。
【発明を実施するための形態】
【００２１】
異なる図において全く同一の参照符号は、全く同一のまたは類似した項目を意味する。筆記用具１は、以下インクと呼ばれる任意の筆記、消去、または強調媒体により筆記することができる。
【００２２】
図１、図２、図４および図５を参照すると、筆記用具１は、筆記本体１０および結合位置において筆記本体１０の一方または他方の端部（１０ａ、１０ｂ）を覆うのに適する、取り外し可能キャップＣを備える。ペン先１１は、筆記本体１０の端部（１０ａ、１０ｂ）の一方に取り付けられる。非限定的な例により、筆記本体１０はプラスチック材料から作られている管状部１２を備えることができ、管状部は、インク貯槽１３を囲み、かつペン先１１を支えるインク供給装置１４を収容することを可能にする。
【００２３】
図４の実施形態において、インク貯槽１３、インク供給装置１４およびペン先１１を有する管状部１２は、カートリッジ１５を形成する。カートリッジ１５は、胴部１６内に挿入され、かつ持続的にまたは取り外し可能にこの胴部１６へ接続されることができる。図４の例において締め付けは、取り外し可能であり、かつカートリッジ１５の管状部１２の外側に形成された雄ねじ１７を使用して実行されることができる。胴部１６は、内壁に形成された雌ねじを備えることができ、胴部１６およびカートリッジ１５は取り外し可能に互いに固定されることができる。インクが切れた場合に交換カートリッジは、胴部１６内に挿入されることが可能であることが理解できるだろう。締め付け方法は、例えば非限定的な、圧入、ロックによる接点締結のように異なる方法にすることができる。化学結合または超音波結合を提供することができ、この場合カートリッジ１５は胴部１６から取り外し可能ではなくなる。別の方法として、またはさらに追加として、筆記用具１はインク貯槽１３を含む取り外し可能な貯槽を備えることができる。この場合この貯槽はカートリッジ１５の後部に固定される。
【００２４】
図５、図７および図８に示されるように、筆記用具１は筆記本体１０と協働することが可能なキャップＣを備える。キャップＣは、管状のキャップ本体２０、内部キャップ２１およびクリップ２２、ならびにクリップ２２をキャップ本体２０に持続的に固定するためのキャップＣの一方の端部２０ａにインサート２３を有することができる。内部キャップ２１は、ペン先１１の乾燥を防ぐ作用をする。もちろんキャップＣの特定の実施形態においては除外することができる。キャップＣの軸開口部２４は、実質的に筆記本体１０の把持部３０の外径に一致する内径を有する。この把持部３０は、円柱とすることができ、または筆記作業中に親指および人差し指の間で把持するのに適した異なる形を有する。図４、図７および図８の非限定的な例において、把持部３０は、カートリッジ１５の一体部分を形成する。
【００２５】
本発明の好ましい実施形態において、キャップＣの本体２０は、突起３１を有し、キャップＣが結合位置にある場合にこの突起は筆記本体１０に係合することが可能である。図１および図２に明らかなように、突起３１をキャップＣの軸開口部２４近くに円状に分布させることができる。これらの突起３１は、例えばキャップＣの中心軸Ｚに向かって放射状に突出させることにより形成される。キャップ本体２０の管状壁３２はまたその内表面に、キャップ本体２０の厚みに作られた１つまたは複数の溝３３を有する。これらの溝３３は、キャップＣの中央部ＭおよびキャップＣの開口部２４が形成されている端部２０ｂの間に軸方向に延在する。それぞれの溝３３は、２つの隣接する突起３１の間に配置される。それぞれの溝３３の断面は、例えば図６に示されるような広がったＵの形を有する“Ｕ”に対応することができる。開口部２４と反対の溝３３の端部の深さを浅くすることができる。言い換えれば溝３３は、側面の斜面により形成されることができ、かつ１つの斜面は開口部２４の反対側にある。厚さの変化は急すぎではない。溝のこの形により、特に壁が薄い場合空洞またはマークがキャップＣの外側から見えることを回避することができる。
【００２６】
図４、図７および図８を参照すると、筆記本体１０の把持部３０は、突起３１に協働するための突出した環状突起Ｂを有する円柱面を有する。環状突起Ｂは、把持部３０がキャップＣによって完全に覆われることができるように、ペン先１１と逆に配置される。異なる形においては、突起３１と協働することが可能な結合手段は、環状突起とは異なる形−例えば非限定的に、それぞれが把持部３０の外周の半分より短く延在する１つまたは複数の形を有することができる。
【００２７】
図８より明らかなように、キャップＣがその閉鎖位置に到達し、ロックされた場合に、局部的な突起の係合が起こる。したがってこの位置において、突起３１はキャップＣを筆記本体１０に保持し、その結果使用者の操作なしではキャップＣは筆記本体１０から離れることができない。使用者が突起３１を環状突起Ｂから係合解除するとすぐに、取り外しが特に容易になる。
【００２８】
図１および図２を参照すると、キャップ本体２０の管状壁３２はまた任意に、内表面に環状のリブ３４または類似した突起を有し、これはキャップＣが筆記本体１０に装着される場合に、キャップの底部３５にあるキャップＣの内容積を封止することを意図するものである。溝３３は、キャップＣの出口および環状リブ３４に隣接する位置の間に底部３５から離れて延在する。この環状リブ３４の位置は、例えばキャップＣの中央横断面近く、または中央横断面に合併しており、かつより一般的にはキャップ本体２０の端部２０ａ、２０ｂから離れている。
【００２９】
図１、図２、図３Ａ、図７および図８において明らかなように、キャップ本体２０内部に形成された環状リブ３４により、底部３５に近い空気の容積は密閉され、キャップＣが完全に結合位置にある場合この空気が外側に逃れることを防いでいる。筆記本体１０がキャップＣに挿入される間、フランジまたは環状リブ３４が筆記本体１０に接触する前の瞬間まで、溝３３は圧力均一機能として働く。この接触は摩擦により達成され、かつ突起３１による筆記本体１０の固定の直前または同時に起こる。したがって遅くとも突起３１が筆記本体１０の環状突起Ｂに係合する際に、ペン先１１の周りの空気量Ｖは密封される。図７および８は、密封境界が典型的に形成された中央部Ｍを示す。
【００３０】
溝３３は突起３１と交互にあるため、突起３１の保持機能を妨げない。したがってそれぞれの溝３３は、中央軸Ｚに平行に延在する。それぞれの溝３３が通路を構成することにより、キャップＣの底部３５近くの蓄積した空気は、大きい軸開口部２４を通じて逃げることができる。非限定的に、溝３３の数は三本より多いか、または等しくすることができる。図６の実施形態においては、６本の溝３３がキャップ本体２０の管状壁３２の厚みに形成されている。したがってこれらの溝３３はキャップＣの軸開口部２４にて正六角形の頂点を形成する。もちろん溝の間の角度は６０°と異なることも可能である。
【００３１】
キャップＣの内側を示す図１−図２および図６−図８を参照すると、突起３１は円形状に分布している。示された例においてキャップは、円の断面を有する。この場合一連の突起３１に接触する仮想の円があり、この円は好ましくは軸Ｚに垂直な横断面、で内接され、かつ環状突起Ｂの直径Ｄ２より確実に小さい直径Ｄ１を有する。突起３１および溝３３は、例えばキャップＣの内周の少なくとも７５％以上、好ましくは少なくとも９０％以上に延在する。図１および図２において、それぞれの溝３３は、２つの隣接する突起３１を分離する。したがって２つの連続する突起３１の間は実質的に溝３３の幅に対応する。
【００３２】
管状壁３２の外表面、少なくともキャップＣの開口部２４に向かう面は滑らかであることが好ましい。より一般的には、溝または類似の長手方向の突起は、溝３３の反対側に現れず、キャップＣ内に完全に配置される。この壁３２にでこぼこがないことにより、使用者にとって筆記用具１の把持がより快適な感触になる。図７および図８に示されるように、筆記用具１の胴部１６は、カートリッジ１５と協働することができ、かつ溝３３の出口とは向かい合う位置をとる。一例として胴部１６は、キャップＣの外径と略等しいか、またはわずかに小さい外径を有することができ、溝３３それぞれの出口を閉じる。
【００３３】
任意の実施形態において、キャップＣ内部の密封は、胴部１６およびキャップ本体２０の端部２０ｂの間の環状の接触封止によってなされることが可能である。これがなされるために、封止コーティングまたはガスケット（図示せず）が、筆記本体１０の把持部３０に近い胴部１６の端部に任意に固定、または隣接して配置される。この封止は、環状リブ３４によって作られた封止を補う、または置き換えることができる。したがってキャップＣの内側の封止は、キャップＣ端部２０ｂの環状の縁および筆記本体１０の肩部４０の間の接触封止によって達成されることがわかるだろう。あるいは、結合位置においてキャップＣの第２端部２０ｂに接触する軸面を有するこの環状の肩部４０は、単純にキャップＣを延長する作用をし、かつ接点を封止することなく溝３３の出口を少なくとも部分的に閉じることができる。この肩部４０をカートリッジ１５に一体化して、または環によって形成することができる。
【００３４】
図７および図８の例において、カートリッジ１５は胴部１６が固定できる雄ねじ１７を有し、かつこのねじ山１７近くに半径方向の環状突起４５が設けられている。環状突起４５は、胴部１６がカートリッジ１５に完全にねじ込まれるための止め具を形成している。そして図８に示すように、突起３１が環状突起Ｂの後にて係合する場合、胴部１６はキャップＣの止め具として働く。異なる実施形態において、キャップＣの軸の固定は、カートリッジ１５にて実行される。図１、図２および図８に示すように、キャップＣには第２端部２０ｂに向かって拡大された内径が設けられる。これにより環状突起４５に適合することができる。
【００３５】
図６、図７および図８に見られるように、各溝３３の厚さｅ２をキャップＣの一般的な厚さの４０％〜７０％の間で構成することができる。空気通路の断面の高さは、最大化することができる。射出成型プラスチックのキャップＣの場合、残りの厚さｅ２は約０．６ｍｍに制限され、これは注入時に充填の問題を生じさせないために十分な残りの厚さである。結合位置にある場合に、筆記本体１０上に形成された環状突起Ｂの非連続的な部分のみがキャップＣに接触するということが理解できるだろう。
【００３６】
非限定的に、キャップＣの長さは、少なくとも２ｃｍとすることができ、かつ少なくとも４ｃｍ〜５ｃｍが好ましい。突起３１は、キャップＣの軸開口部２４の境界を定める端部に近く、かつ開口部２４の端との距離は、例えば溝３３の長さの１０％〜２５％を示す。したがってキャップＣが結合されている最中、突起３１が環状突起Ｂ、または筆記本体１０の把持部３０の後ろに形成された任意の他の締め付け要素に係合するのは、行程の最後のみである。溝３３の長さは、環状突起Ｂまたは類似のものと、ペン先１１が固定される管状部１２の端部の上部との間に形成された筆記本体１０の把持部３０の長さに実質的に一致することがわかるだろう。図の実施形態において、異なる溝３３の長さは同じであり、かつキャップＣの深さ５０の少なくとも４０％となる。より一般的には、各溝３３の長さは筆記本体１０の構造に依存し、かつまたキャップＣの全体の形により調整することができる。
【００３７】
図４に示されるカートリッジ１５は、インク漏れを吸収するのに適した空洞（図示せず）と組み合わさった、インクをペン先へ供給する装置１４を備えることができる。胴部１６に覆われたカートリッジ１５の一部は実質的にインク貯槽に対応し、かつ装置１４およびこの貯槽の間にインク貯槽１３が格納される空洞が配置される。例えば管状部１２を有するインク供給装置は、貯槽に連通する空洞の境界を定める。この空洞は、外部に開かれた開口部（図示せず）によって直接外部に連通する。均圧および漏れインクを吸収するためのこのような空洞の存在により、インク漏れの危険はきわめて小さくなる。
【００３８】
本発明の１つの利点は、内部に捕えられた空気を放出するために、主として筆記本体１０の把持部３０を覆うのに通常十分長いキャップＣの性能であり、かつ、そのためかさ高および／または組み立てに関する問題を引き起こすようなキャップＣの設計を行わずに均圧を実施する。
【００３９】
変形例において（図示せず）、内部キャップは、ペン先１１を受容し、かつ囲む空洞の形とすることができる。内部キャップの空洞は開口部を有し、開口部の縁は、筆記本体１０の端部上の母線の接点上に延在する。これは、ペン先１１の周辺にインクを垂らすことなくペン先１１のインクの乾燥を防ぐ。これは筆記用具１を後で使用する際に筆記媒体の汚れを防ぐ。
【００４０】
内部キャップは、この内部キャップの空洞の開口部の縁を筆記本体１０の放射状の肩部に対して押し込むバネ上に好都合に取り付けられることが可能である。内部キャップ２１はまたエラストマー材料から作られることが可能であり、または母線の接点上に封止を提供するためにエラストマー被覆の縁を有することができる。
【００４１】
筆記本体１０の円錐部分にジグザグチャネルの開口部によって外部に連結された液体のインク貯槽を備える筆記本体に関して、内部キャップの空洞がジグザグチャネルの出口開口部をも覆うと、有益である。
【００４２】
空気排出溝３３の存在は、筆記用具１の貯槽からインクくみ上げ動作を防ぐのに特に好都合である。
【００４３】
それぞれの上述した実施形態の形および詳細は、単体または組み合わせにより使用することができる。本発明が、請求した本発明の出願分野から逸脱することなく他の多数の特定の形における実施形態を許容することは当業者には明らかであろう。特に記述はキャップＣの厚みに、一定の幅を有して中央軸Ｚに平行に形成された溝３３について述べたが、長手方向の要素を有するチャネルの任意の他の形が、キャップＣを閉じる際にキャップＣの開口部２４を通じて空気を逃すのに適していることを当業者は理解できるだろう。キャップＣの内表面に作られた溝３３がキャップＣの内部の配置に起因することが理解されるだろう。例えば少なくとも１つの溝３３はキャップＣの内側の部品の溝によって、またはキャップＣの内表面の部品を構成する異なる要素の間の空間により形成されることが可能である。
【符号の説明】
【００４４】
１  筆記用具
１０  筆記本体
１０ａ  端部
１０ｂ  端部
１  １ペン先
１２  管状部
１３  インク貯槽
１４  インク供給装置
１５  カートリッジ
１６  胴部
１７  雄のねじ山
２０  キャップ本体
２０ａ  端部
２０ｂ  端部
２１  内部キャップ
２２  クリップ
２３  インサート
２４  開口部
３０  把持部
３１  突起
３２  管状壁
３３  溝
３４  環状リブ
３５  底部
５０  キャップＣの深さ
Ｂ  環状突起
Ｃ  キャップ
Ｍ  中央部
【図１】
0005340405.tif 000002
【図２】
0005340405.tif 000003
【図３Ａ】
0005340405.tif 000004
【図３Ｂ】
0005340405.tif 000005
【図４】
0005340405.tif 000006
【図５】
0005340405.tif 000007
【図６】
0005340405.tif 000008
【図７】
0005340405.tif 000009
【図８】
0005340405.tif 000010